(57)【要約】【課題】屋内対策済みのビルに対して、無線通信品質を定期的に監視し、品質低下を発見し、自動的に改善する手法がない。【解決手段】一例は、屋内に設置されている通信品質測定装置と、通信品質測定装置による無線信号の測定結果に基づいて、屋内アンテナ装置を制御する制御装置とを含む。通信品質測定装置は、屋内アンテナ装置が送信する無線信号を含む第１無線信号をアンテナで受信して、当該受信した第１無線信号の品質を測定する。制御装置は、通信品質測定装置から受信した第１測定結果と、第１無線信号の測定前に用意されている基準情報とを比較して、屋内アンテナ装置のアンテナ出力を調整するか否かを判定する。【選択図】図１
2014107811.tif 000002
【特許請求の範囲】
【請求項１】
移動体端末と無線信号を送受信し屋内に設置されている屋内アンテナ装置、を制御する制御システムであって、
前記屋内に設置されている通信品質測定装置と、
前記通信品質測定装置による無線信号の測定結果に基づいて、前記屋内アンテナ装置を制御する制御装置と、を含み、
前記通信品質測定装置は、
前記屋内アンテナ装置が送信する無線信号を含む第１無線信号をアンテナで受信して、当該受信した第１無線信号の品質を測定し、
前記第１無線信号の品質の第１測定結果を前記制御装置に送信し、
前記制御装置は、
前記通信品質測定装置から受信した前記第１測定結果と、前記第１無線信号の前記測定前に用意されている基準情報とを比較して、前記屋内アンテナ装置のアンテナ出力を調整するか否かを判定し、
前記判定結果に従って前記屋内アンテナ装置のアンテナ出力を制御する、制御システム。
【請求項２】
請求項１に記載の制御システムであって、
前記基準情報は、予め規定されている、通信品質を表す値の第１閾値を含み、
前記制御装置は、前記第１測定結果から得られた値と前記第１閾値とを比較して、前記屋内アンテナ装置のアンテナ出力を調整するか否かを判定する、制御システム。
【請求項３】
請求項２に記載の制御システムであって、
前記制御システムは前記制御装置から受信した情報を出力する出力装置、を有する管理装置をさらに含み、
前記基準情報は、予め規定されている、前記第１閾値よりも低い通信品質を表す第２閾値を含み、
前記制御装置は、前記第２閾値と前記測定結果から得られる前記値を比較して、前記屋内アンテナ装置のアンテナ出力を調整することなく、前記測定結果から得られる情報を前記管理装置に送信するか判定する、制御システム。
【請求項４】
請求項１、２又は３に記載の制御システムであって、
前記通信品質測定装置は、前記第１測定結果に従って前記屋内アンテナ装置のアンテナ出力が調整された後に、前記第１無線信号の品質を再測定し、
前記制御装置は、前記再測定の測定結果と前記基準情報とを比較して、前記屋内アンテナ装置のアンテナ出力を再調整するか否かを判定する、制御システム。
【請求項５】
請求項１に記載の制御システムであって、
前記基準情報は、前記測定前に前記通信品質測定装置により実行された測定の結果である基準測定結果を含み、
前記制御装置は、前記第１測定結果から得られた値と前記基準測定結果から得られた値とを比較して、前記屋内アンテナ装置のアンテナ出力を調整するか否かを判定する、制御システム。
【請求項６】
請求項５に記載の制御システムであって、
前記制御装置は、前記アンテナ出力の調整において、前記得られた値と前記基準測定結果の差分が所定範囲内となるように、前記アンテナ出力の増加及び減少を含む調整方法から一つを選択する、制御システム。
【請求項７】
請求項１から６のいずれか一項に記載の制御システムであって、
前記第１無線信号を送信する第２屋内アンテナ装置をさらに含み、
前記通信品質測定装置と前記屋内アンテナ装置は第１フロアに設置されており、
前記第２屋内アンテナ装置は前記第１フロアと異なる第２フロアに設置されており、
前記制御装置は、
前記屋内アンテナ装置のアンテナ出力変更量と前記第１測定結果に基づいて、前記屋内アンテナ装置のアンテナ出力変更量における外部干渉に対応する変更量を推定し、
前記推定した変更量に基づいて、前記第２屋内アンテナ装置のアンテナ出力変更量を決定する、制御システム。
【請求項８】
移動体端末と無線信号を送受信し屋内に設置されている屋内アンテナ装置、を制御する制御方法であって、
前記屋内に設置されているアンテナによって前記屋内アンテナ装置が送信する無線信号を含む第１無線信号を受信し、当該受信した第１無線信号の品質を測定し
前記第１無線信号の品質の測定結果を取得し、
前記測定結果と、前記第１無線信号の前記測定前に用意されている基準情報とを比較して、前記屋内アンテナ装置のアンテナ出力を調整するか否かを判定し、
前記判定結果に従って前記屋内アンテナ装置のアンテナ出力を制御する、制御方法。
【請求項９】
請求項８に記載の制御方法であって、
前記第１測定結果に従って前記屋内アンテナ装置のアンテナ出力が調整された後に、前記第１無線信号の品質を再測定し、
前記再測定の測定結果と前記基準情報とを比較して、前記屋内アンテナ装置のアンテナ出力を再調整するか否かを判定する、制御方法。
【請求項１０】
請求項８又は９に記載の制御方法であって、
前記基準情報は、前記測定前に前記通信品質測定装置により実行された測定の結果である基準測定結果を含み、
前記第１測定結果から得られた値と前記基準測定結果から得られた値とを比較して、前記屋内アンテナ装置のアンテナ出力を調整するか否かを判定する、制御方法。
【発明の詳細な説明】
【技術分野】
【０００１】
本発明は、無線通信システムで使用される屋内アンテナ装置の制御に関する。
【背景技術】
【０００２】
無線通信システムは、様々な方法で通信品質が低下（音飛びや低スループット等）している場所を把握し、通信品質を改善している。いくつかの通信品質測定方法が知られている。
【０００３】
例えば、車などに測定装置とＧＰＳを設置して移動することにより、通信品質データとＧＰＳデータを紐付けすることで、屋外の通信品質を測定する方法、携帯端末に測定ツールを組み込み、測定者が入力した位置情報と時刻を鍵に測定データと紐付けすることで、通信品質を測定する方法（例えば、特許文献１を参照）、ユーザが使用している携帯端末に測定ツールを組み込み、ＧＰＳデータやユーザが入力した位置情報と測定データを紐付けることで、通信品質を測定する方法が知られている。
【先行技術文献】
【特許文献】
【０００４】
【特許文献１】特開２００８−２４４８９１号公報
【発明の概要】
【発明が解決しようとする課題】
【０００５】
無線通信システムでは、通信品質改善や支障移転等の理由により、基地局の増減やアンテナの方位角・俯角の変更等の対策が実施される。その結果として、対策を実施された地点の周辺建築物の屋内で、無線通信（無線信号）の品質が低下する場合がある。
【０００６】
対策により通信品質の低下が予想される建築物を、電波伝搬シミュレータを使用して抽出し、対策後にその建築物における通信品質の測定を実施する場合がある。しかし、実際には建築物内で通信品質の低下が発生していない場合があり、その測定により通信品質に問題ないことを確認できるが、測定にかかる時間と費用が無駄になる。
【０００７】
逆に、電波伝搬シミュレータはある建築物における通信品質への影響が少ないことを示していたが、実際には当該建築物の屋内通信品質が低下している場合もある。その場合、ユーザから申告があるか、その他の事由により通信品質の測定を実施するまで、無線通信サービス提供者は、当該建築物において通信品質が低下した事実を把握出来ず、品質が低下した状態で無線通信サービスを運用し続けてしまう。
【０００８】
特に、屋内に無線通信品質改善用のアンテナ装置（基地局を含む）が設置されている建築物は、対策されていない建築物と比較して屋外の品質改善対策の影響が軽微であると考えられ、品質測定調査の対象から外れる場合が多い。屋内のアンテナ装置は、屋外の通信品質への影響を抑えるため、低出力で運用されている場合があり、屋内にアンテナ装置があるにも関わらず、屋内での通信品質が低下してしまうことがある。
【０００９】
例えユーザから品質低下の申告があった場合でも、測定を実施するためには建築物所有者や入居者等から測定の許可を得て、機器と人員と作業に立ち会う建築物関係者のスケジュール調整を行う作業が必要であり、すぐに測定を行うことはできない。
【００１０】
また、屋内の無線通信品質の低下が確認されるのは測定結果を解析した後であり、測定結果の解析は、品質低下の要因を特定し、それに合わせた対策を検討することを含むため、対策が行われまでには時間がかかる。
【課題を解決するための手段】
【００１１】
本発明の一態様は、移動体端末と無線信号を送受信し屋内に設置されている屋内アンテナ装置、を制御する制御システムであって、前記屋内に設置されている通信品質測定装置と、前記通信品質測定装置による無線信号の測定結果に基づいて、前記屋内アンテナ装置を制御する制御装置と、を含む。前記通信品質測定装置は、前記屋内アンテナ装置が送信する無線信号を含む第１無線信号をアンテナで受信して、当該受信した第１無線信号の品質を測定し、前記第１無線信号の品質の第１測定結果を前記制御装置に送信する。前記制御装置は、前記通信品質測定装置から受信した前記第１測定結果と、前記第１無線信号の前記測定前に用意されている基準情報とを比較して、前記屋内アンテナ装置のアンテナ出力を調整するか否かを判定し、前記判定結果に従って前記屋内アンテナ装置のアンテナ出力を制御する。
【発明の効果】
【００１２】
本発明の一態様によれば、屋内アンテナ装置の出力を適切に制御することができる。
【図面の簡単な説明】
【００１３】
【図１】実施例１における屋内アンテナ装置及び屋内アンテナ装置制御システムの構成を模式的に示す図である。
【図２】実施例１における屋内アンテナ装置及び通信品質測定装置の配置例を示す図である。
【図３】実施例１における屋内アンテナ装置及び屋内アンテナ装置制御システムの各装置の構成を模式的に示す図である。
【図４】実施例１における測定結果テーブルの例を示す図である。
【図５】実施例１における測定・制御設定テーブルの例を示す図である。
【図６】実施例１における通信品質測定及び屋内アンテナ装置出力制御の処理例を示すフローチャートである。
【図７】実施例１における判定結果テーブルの例を示す図である。
【図８】実施例１における測定結果テーブルの例を示す図である。
【図９Ａ】実施例１における通信品質測定装置−屋内アンテナ装置対応テーブルの例を示す図である。
【図９Ｂ】実施例１における屋内アンテナ装置出力管理テーブルの例を示す図である。
【図１０】実施例１における屋内アンテナ装置出力調整ステップの例を示すフローチャートである。
【図１１】実施例１における判定結果テーブルの例を示す図である。
【図１２】実施例１における出力調整前後の測定結果比較テーブルの例を示す図である。
【図１３】実施例２における通信品質測定及び屋内アンテナ装置出力制御の処理例を示すフローチャートである。
【図１４】実施例２における基準測定結果と定期測定結果の比較テーブルの例を示す図である。
【図１５】実施例２における屋内アンテナ出力増加ステップの例を示すフローチャートである。
【図１６】実施例２における基準測定結果と出力変更後測定結果の比較テーブルの例を示す図である。
【図１７】実施例２における屋内アンテナ出力減少ステップの例を示すフローチャートである。
【図１８】実施例３における屋内アンテナ装置及び屋内アンテナ装置制御システムの構成を模式的に示す図である。
【図１９】実施例３における判定結果テーブルの例を示す図である。
【図２０】実施例３における基準測定結果と定期測定結果の比較テーブルの例を示す図である。
【図２１】実施例３における非測定フロアの屋内アンテナ装置の出力変更テーブルの例を示す図である。
【図２２】実施例３における非測定フロアの屋内アンテナ装置のアンテナ出力を制御する処理例を示すフローチャートである。
【発明を実施するための形態】
【００１４】
以下、添付図面を参照して本発明の実施形態を説明する。本実施形態は本発明を実現するための一例に過ぎず、本発明の技術的範囲を限定するものではないことに注意すべきである。特に説明のない場合、各図において共通の構成については同一の参照符号が付されている。
【００１５】
本実施形態は、屋内に設置され、無線信号を受信するアンテナを含む通信品質測定装置を使用して、屋内対策アンテナ装置（以下において屋内アンテナ装置とも呼ぶ）と移動体端末（携帯端末とも呼ぶ）との間の通信における、外部要因による干渉成分の変化による通信品質の低下及び伝搬ロスの変化を測定する。１又は複数の屋内アンテナ装置が、基地局に接続されている。
【００１６】
通信品質測定装置での測定結果に対して、管理者（ユーザ）が設定した品質基準に応じて、屋内アンテナ装置のアンテナ出力（出力強度）を制御する。これにより、適切に屋内アンテナ装置のアンテナ出力を制御できる。
【実施例１】
【００１７】
以下、本発明の実施例１を図面に基づいて説明する。図１は、本実施例の無線通信システム構成を模式的に示すブロック図である。本システムは、屋内対策用アンテナ装置（屋内アンテナ装置）１０１及び当該屋内アンテナ装置１０１を制御する屋内アンテナ装置制御システムを含む。屋内アンテナ装置制御システムは、通信品質測定装置１０２、制御装置１０３、そして遠隔監視装置１０４を含む。
【００１８】
携帯電話等の移動体端末と基地局との間の通信品質が低い店舗や施設などの建築物において、屋内アンテナ装置１０１が各フロアに固定配置されており、各フロアの無線通信品質（電波品質又は無線信号品質とも呼ぶ）を改善する。
【００１９】
屋内アンテナ装置１０１設置フロアにおいて、通信品質測定装置１０２が設置されており、屋内無線通信対策のための屋内アンテナ装置１０１が設置されているフロアにおける通信品質を測定する。本例において、通信品質測定装置１０２は固定設置されている。一つの屋内アンテナ装置１０１が一つの基地局と一体的形成されている又は複数の屋内アンテナ装置１０１が配線を介して一つの基地局に接続されている。
【００２０】
通信品質測定装置１０２は、測定により得られた通信品質の情報を、制御装置１０３に送信する。図１の例において、制御装置１０３は、通信品質測定装置１０２と同一建築物に設置されている。制御装置１０３は、受信した品質情報と予め決められた品質基準に基づいて、各屋内アンテナ装置１０１の送受信アンテナからの出力（出力電波強度）を制御する。具体的には、制御装置１０３は、各屋内アンテナ装置１０１に、その送受信アンテナからの出力の調整を指示する。
【００２１】
制御装置１０３は、屋内アンテナ装置１０１のアンテナ出力の調整後、通信品質測定装置１０２により通信品質を再測定し、品質の改善効果を参照しつつ自動的に屋内アンテナ装置１０１のアンテナ出力を調整する。制御装置１０３は、通信品質の測定結果や品質改善結果を、ネットワークを介して遠隔監視装置１０４に転送する。遠隔監視装置１０４は、送信された情報から必要な情報を選択し、管理者に提示する。
【００２２】
図１の例において、遠隔監視装置１０４は、制御装置１０３から離れた遠隔地に設置されている。遠隔監視装置１０４は、受信下情報を、出力装置において管理者に示す。制御装置１０３は、品質低下が認められる場合、遠隔監視装置１０４にアラームを管理者に通知させることで、管理者に通信品質低下を通知する。なお、遠隔監視装置１０４は、制御装置１０３と同一建築物内に設定されていてもよく、これらの機能が一つの装置に実装されていてもよい。
【００２３】
図２は、屋内アンテナ装置２１１、２１２、２１３、２１４が設置されているフロアにおいて、通信品質測定装置２０１、２０２、２０３、２０４を配置する一例である。図２の例において、フロアの４面（北壁面、東壁面、南壁面、西壁面）から電波の入射があり、各入射面近傍に、通信品質測定装置２０１、２０２、２０３、２０４が配置されている。有効な通信品質測定装置の設置場所は、通信状況が変化する屋外からの影響が一番大きい窓などの開口部２２１近傍である（図２において複数開口部の一部のみ符号２２１で指示されている）。
【００２４】
図３は、本実施例のシステム内の各装置の構成を模式的に示す図である。上述のように、屋内アンテナ装置制御システムは、通信品質測定装置１０２、制御装置１０３及び遠隔監視装置１０４を含む。
【００２５】
通信品質測定装置１０２は無線信号を測定する。本例において、通信品質測定装置１０２は、受信アンテナ３０１、処理装置３０２及び記憶装置３０３を含む。受信アンテナ３０１は無線信号を受信する。処理装置３０２は、受信アンテナ３０１が受信した信号から必要な値を算出し、算出した値を記憶装置３０３に格納する。記憶する情報については後述する。通信品質測定装置１０２は、受信アンテナ３０１により受信した無線信号から得て記憶装置３０３に格納したデータ（情報）を、ネットワークを介して制御装置３１２に送信する。
【００２６】
制御装置１０３は、処理装置３０４及び記憶装置３０５を含む。制御装置１０３は、通信品質測定装置１０２から受信したデータ（情報）を、記憶装置３０５に格納する。記憶装置３０５は、通信品質測定装置１０２から受信したデータ（情報）に加え、品質基準の情報を格納している。制御装置１０３は、通信品質測定装置１０２の測定結果と品質基準と比較して、屋内アンテナ装置１０１のアンテナ出力の制御を行う。
【００２７】
管理者は、遠隔監視装置１０４の入力装置３１５において、品質基準を設定する。入力された品質基準は、遠隔監視装置１０４の記憶装置３１０に格納される。遠隔監視装置１０４は、設定された品質基準を示す情報を、制御装置１０３に送信する。制御装置１０３は、受信した品質基準の情報を記憶装置３０５に格納する。
【００２８】
処理装置３０２、３０４、３０９は、プログラムに従って動作するプロセッサ及び／又は集積回路を含む。例えば、処理装置３０２、３０４、３０９はプログラムを格納するメモリを含み、プロセッサがそのプログラムに従って動作する。一部の機能を専用の集積回路で実現し一部の機能をプロセッサにより実現してもよい。
【００２９】
記憶装置３０３、３０５、３１０は、不揮発性及び／又は揮発性の記憶媒体を含み、必要な情報を格納する。以下において、記憶装置３０３、３０５、３１０に格納される情報は主にテーブル構造により表されるが、本実施例及び他の実施例において使用される情報は、どのようなデータ構造で表されていてもよい。
【００３０】
制御装置１０３の処理装置３０４は、通信品質測定装置１０２の測定結果と品質基準とを比較して、屋内アンテナ装置１０１のアンテナ出力を調整する（変更する）か否か判定する。判定方法の詳細は後述する。処理装置３０４は、屋内アンテナ装置１０１のアンテナ出力を調整すると判定すると、その指示を屋内アンテナ装置１０１に送信する。
【００３１】
屋内アンテナ装置１０１は、移動体との通信で使用する無線信号を送受信する送受信アンテナ３０６と、送受信アンテナ３０６の無線信号（電波）送信出力を制御する出力制御装置３０７を含む。出力制御装置３０７は、制御装置１０３からアンテナ出力の調整を指示されると、それに応じて、送受信アンテナ３０６の出力を調整する。
【００３２】
屋内アンテナ装置１０１の送受信アンテナ３０６の出力が調整された後、制御装置１０３は、通信品質を再測定する。制御装置１０３の処理装置３０４は、通信品質測定装置１０２に、通信品質の測定を指示する。通信品質測定装置１０２は、指示に応じて通信品質の測定を行い、その測定結果を制御装置１０３に送信する。制御装置１０３は、必要により、屋内アンテナ装置１０１の出力調整と通信品質測定装置１０２による測定を繰り返す。制御装置１０３は、出力調整後の再測定を行わなくてもよい。
【００３３】
処理装置３０４は、各測定結果を記憶装置３０５に格納し、さらに、遠隔監視装置１０４に送信する。遠隔監視装置１０４の処理装置３０９は、制御装置１０３から受信した情報を記憶装置３１０に格納する。処理装置３０９は、表示装置３０８において、管理者に対して品質基準、測定結果、屋内アンテナ装置１０１の現在設定等情報を提示する。
【００３４】
管理者は、表示装置３０８で表示された情報を確認し、入力装置３１５により必要な指示及び設定を入力することができる。また、後述するように、処理装置３０９は、屋内アンテナ装置１０１の通信品質が低下し、所定の条件が満たされる場合に、表示装置３０８にアラームを発生させ、管理者に通信品質の低下を通知する。
【００３５】
図４は、図２における通信品質測定装置２０１、２０２、２０３、２０４による測定結の一例を示している。本例は、定期測定による測定結果の一例であり、同一期間の測定結果を示している。測定結果は、測定結果テーブル４００に格納されている。制御装置１０３は、通信品質測定装置２０１、２０２、２０３、２０４のそれぞれから測定結果の情報を受信し、それらを測定結果テーブル４００に格納する。
【００３６】
例えば、制御装置１０３は、同時期の測定結果を一つの測定結果テーブル４００に格納し、異なる時期の測定結果を異なる測定結果テーブル４００に格納する。全て時期の測定結果を一つの測定結果テーブル４００に格納してもよい。測定結果テーブル４００は、図４のようにフロア毎に用意しても、全フロアに一つの測定結果テーブル４００を用意してもよい。
【００３７】
測定結果テーブル４００は、通信品質測定装置カラム４０１、測定開始日時カラム４０２、測定終了日時カラム４０３、ＰＳＣ（Ｐｒｉｍａｒｙ  Ｓｃｒａｍｂｉｌｇ  Ｃｏｄｅ）カラム４０４、ＲＳＣＰ（Ｒｅｃｅｉｖｅｄ  Ｓｉｇｎａｌ  Ｃｏｄｅ  Ｐｏｗｅｒ）カラム４０５、Ｅｃ／Ｎｏ（Ｅｎｅｒｇｙ−ｐｅｒ−Ｃｈｉｐ−ｔｏ−Ｎｏｉｓｅ  Ｒａｔｉｏ）カラム４０６、Ｉｏカラム４０７を有する。Ｉｏは、アンテナコネクタ端で測定される総受信電力密度（信号波と妨害波を含む）である。
【００３８】
通信品質測定装置カラム４０１は、通信品質測定装置の識別子を格納する。測定開始日時カラム４０２、測定終了日時カラム４０３は、それぞれ、通信品質測定の開始日時及び終了日時を格納する。
【００３９】
ＰＳＣ、ＲＳＣＰ、Ｅｃ／Ｎｏ、Ｉｏは、Ｗ−ＣＤＭＡ通信において使用されている値であり、以下に簡単に説明する。ＰＳＣカラム４０４は、通信品質（電波信号品質）の測定において測定された電波信号の識別コード（ＰＳＣ）を格納している。ＰＳＣは無線通信におけるセルを識別するコードである。本例の屋内アンテナ装置１０１はＷ−ＣＤＭＡに従う屋内アンテナ装置であるが、本発明は他のプロトコルを使用する無線通信における屋内アンテナ装置の制御に適用することができる。
【００４０】
ＲＳＣＰカラム４０５は、各測定における受信信号コード電力［ｄＢｍ］の値を格納している。例えば、ＲＳＣＰカラム４０５は、測定期間中に測定中応値を格納する。Ｅｃ／Ｎｏカラム４０６は、各測定における、帯域内の電力密度で割ったチップあたりの受信エネルギ［ｄＢｍ］の値を格納する。
【００４１】
Ｅｃ／Ｎｏは、（ＲＳＣＰ−Ｉｏ）の値である。上述のように、Ｉｏカラム４０７は、各測定においてアンテナコネクタ端で測定される総受信電力密度の値（Ｉｏ）を格納する。格納されるＩｏ値は、例えば、測定期間中の中央値である。本例において、通信品質はＥｃ／Ｎｏで表される。通信品質は、他の値、例えばＲＳＣＰで表されてもよい。
【００４２】
通信品質測定装置２０１、２０２、２０３、２０４のそれぞれの処理装置３０２は、受信アンテナ３０１が受信した信号において、制御装置１０３に指定されたＰＳＣの信号のＲＳＣＰ及びＩｏを算出する。処理装置３０２は、測定期間終了後、それらの値を記憶装置３０３に格納し、さらに、制御装置１０３に送信する。制御装置１０３の処理装置３０４は、取得したＲＳＣＰ及びＩｏから、Ｅｃ／Ｎｏを算出する。
【００４３】
処理装置３０４は、測定結果テーブル４００（記憶装置３０５）に、各取得したＲＳＣＰ及びＩｏ並びに算出したＥｃ／Ｎｏを格納する。通信品質測定装置の処理装置３０２がＥｃ／Ｎｏを算出及び制御装置１０３に送信、制御装置１０３は、受信した三つの値を測定結果テーブル４００に格納してもよい。
【００４４】
図５は、通信品質測定装置１０２による測定方法及び屋内アンテナ装置１０１のアンテナ出力制御方法を規定する情報を格納する測定・制御設定テーブル５００の一例を示す。本例においては、管理されている全ての通信品質測定装置１０２が、この規定に従って通信品質（無線信号品質）を測定し、制御装置１０３は、この規定に従って屋内アンテナ装置１０１の無線信号出力を制御する。図５の測定・制御設定テーブル５００の例は、定期測定を規定している。
【００４５】
例えば、制御装置１０３及び各通信品質測定装置１０２は、測定・制御設定テーブル５００を有している。各通信品質測定装置１０２は、このテーブル５００の規定に従って無線信号を測定する。若しくは、各通信品質測定装置１０２は測定・制御設定テーブル５００を有しておらず、制御装置１０３が各通信品質測定装置１０２に測定・制御設定テーブル５００の規定に従った測定を指示してもよい。
【００４６】
測定・制御設定テーブル５００は、測定開始時刻カラム５０１、測定時間カラム５０２、測定周期カラム５０３、ＰＳＣカラム５０４、周波数カラム５０５、アラーム閾値カラム５０６、調整閾値カラム５０７、調整幅カラム５０８を有する。
【００４７】
測定開始時刻カラム５０１は、定期測定の開始時刻を規定する。測定時間カラム５０２は、定期測定の測定時間の長さを規定する。測定周期カラム５０３は、定期測定の周期を規定する。ＰＳＣカラム５０４は、測定を行う電波信号（無線通信信号）を特定するＰＳＣの値を規定する。周波数カラム５０５は、測定を行う電波信号（無線通信信号）の周波数の値を規定する。測定する周波数の数は複数でもよい。
【００４８】
アラーム閾値カラム５０６及び調整閾値カラム５０７は、制御装置１０３が、屋内アンテナ装置１０１のアンテナ出力調整の有無を判定するにおいて参照する値を規定する。アラーム閾値カラム５０６は、屋内アンテナ装置１０１のアンテナ出力（送信電波出力強度）を調整することなく、管理者に通信品質低下を通知する基準を示す通信品質の閾値（Ｅｃ／Ｎｏ）を格納する。上述にように、本例は、通信品質を（Ｅｃ／Ｎｏ）で表す。
【００４９】
調整閾値カラム５０７は、屋内アンテナ装置１０１のアンテナ出力を調整する通信品質の基準を決める閾値（Ｅｃ／Ｎｏ）を格納する。特定の調整閾値を指定することで、通信品質に求められている絶対的基準を満たすように、アンテナ出力を調整することができる。
【００５０】
調整幅カラム５０８は、屋内アンテナ装置１０１のアンテナ出力の１回の変更量（出力調整幅）を示す値を格納する。屋内アンテナ装置１０１は、制御装置１０３からの指示に従って、調整幅カラム５０８が示す量だけアンテナ出力を変更（増加又は減少）する。図５において、調整幅カラム５０８が示す値の単位は［ｄＢｍ］である。
【００５１】
管理者は、遠隔監視装置１０４の入力装置３１５を使用して、測定・制御設定テーブル５００に格納される値を入力する。遠隔監視装置１０４の処理装置３０９は、測定・制御設定テーブル５００を記憶装置３１０に格納し、さらに、その設定情報を制御装置１０３に転送する。
【００５２】
制御装置１０３は、遠隔監視装置１０４から受信した情報を含む測定・制御設定テーブル５００を、記憶装置３０５に格納する。通信品質測定装置１０２が測定・制御設定テーブル５００の情報を参照して測定を自動的に行う場合、制御装置１０３は、測定・制御設定テーブル５００の全情報又はそれから選択した測定に必要な情報を、各通信品質測定装置１０２に送信する。例えば、測定開始時刻カラム５０１、測定時間カラム５０２、測定周期カラム５０３、ＰＳＣカラム５０４、周波数カラム５０５の値が送信される。通信品質測定装置１０２は、受信した情報を記憶装置３０３に格納する。
【００５３】
図６は、本例の屋内アンテナ装置制御システムにおける、通信品質測定及びアンテナ出力制御の例を示すフローチャートである。以下では、フロア毎に通信品質の測定及びアンテナ出制御を行う例を説明する。
【００５４】
各通信品質測定装置１０２は、指定されている無線信号（電波信号）の品質を測定する（Ｓ１０１）。上述のように、各通信品質測定装置１０２は、測定・制御設定テーブル５００が規定する測定方法に従って、通信品質を定期的に測定する。測定・制御設定テーブル５００は、例えば、フロア毎に用意されている。
【００５５】
各通信品質測定装置１０２は、測定が終了すると、その測定結果を制御装置１０３に送信する。制御装置１０３の処理装置３０４は、各通信品質測定装置１０２から取得した測定結果を測定結果テーブル４００に格納する。図４は、通信品質測定装置２０１〜２０４（本例において同一フロア内の全通信品質測定装置）が、図５に示す測定・制御設定テーブル５００が規定する方法で行った、一回の定期測定の結果を示している。
【００５６】
図６のフローチャートにおいて、処理装置３０４は、ステップＳ１０２〜Ｓ１０５を、通信品質測定装置２０１〜２０４の測定結果（測定結果テーブル４００の各エントリ）のそれぞれについて実行する。以下に説明する例において、処理装置３０４は、ステップ１０２〜Ｓ１０５の判定結果がステップＳ１０６に進むことを示す全ての測定結果（通信品質測定装置１０２）について、ステップＳ１０６を実行する。
【００５７】
処理装置３０４は、ステップＳ１０２〜Ｓ１０５の判定結果及びステップＳ１０６における調整結果（アンテナ出力を変更しない場合を含む）を、図７に例示する、判定結果テーブル７００に格納する。
【００５８】
図７に示すように、判定結果テーブル７００は、通信品質測定装置カラム７０１、測定開始日時カラム７０２、測定終了日時カラム７０３、ＰＳＣカラム７０４、ＲＳＣＰカラム７０５、Ｅｃ／Ｎｏカラム７０６、Ｉｏカラム７０７、判定結果カラム７０８、変更値カラム７０９を有する。図４の各測定結果と判定結果の関連付けができれば、カラム７０１〜７０７の情報は、判定結果テーブル７００に含まれていなくともよい。
【００５９】
カラム７０１〜７０７は、図４に示す測定結果テーブル４００におけるカラム４０１〜４０７と同じである。判定結果カラム７０８は、各測定結果（エントリ）に対する制御装置１０３による判定結果を格納する。図７の判定結果テーブル７００は、図４及び図５に示す例に対応している。判定結果カラム７０８において、「アラーム」は、アンテナ出力調整することなく品質低下を管理者に通知することを示し、「問題なし」は通信品質に問題がない（アンテナ出力の変更が不要である）ことを示す。
【００６０】
変更値カラム７０９は、測定結果に基づいて変更された屋内アンテナ装置１０１のアンテナ出力の変更量を示す。単位は［ｄＢ］であり、調整幅（カラム５０８の値）の整数倍である。図７に示す例においては、いずれの測定結果からも屋内アンテナ装置２１１〜２１４のアンテナ出力が変更されないため、全てのエントリの値が「０」である。
【００６１】
図６に戻って、ステップＳ１０２において、処理装置３０４は、測定・制御設定テーブル５００のアラーム閾値カラム５０６からアラーム閾値を取得し、その値と測定結果テーブル４００から選択したエントリのＥｃ／Ｉｏ（カラム４０６における値）とを比較する。Ｅｃ／Ｉｏがアラーム閾値よりも小さい場合（Ｓ１０２：ＹＥＳ）、処理装置３０４は、管理者に品質低下を通知することを決定し、判定結果カラム７０８の該当フィールドに、「アラーム」を入力する（Ｓ１０３）。
【００６２】
Ｅｃ／Ｉｏがアラーム閾値以上である場合（Ｓ１０２：ＮＯ）、処理装置３０４はステップＳ１０４に進む。ステップＳ１０４において、処理装置３０４は測定・制御設定テーブル５００の調整閾値カラム５０７から調整閾値を取得し、その値と測定結果テーブル４００から選択したエントリにおけるＥｃ／Ｉｏとを比較する。
【００６３】
Ｅｃ／Ｉｏ測定値が調整閾値以上である場合（Ｓ１０４：ＮＯ）、処理装置３０４は、アンテナ出力調整不要であると判定し、判定結果カラム７０８の該当フィールドに「問題なし」を入力する（Ｓ１０５）。Ｅｃ／Ｉｏ測定値が調整閾値未満である場合（Ｓ１０４：ＹＥＳ）、処理装置３０４は、ステップＳ１０６に進む。
【００６４】
処理装置３０４は、測定結果テーブル４００のいずれかのエントリがステップＳ１０２、Ｓ１０４における所定条件を満たす場合にステップＳ１０６進み、また、ステップＳ１０６において、ステップＳ１０２、Ｓ１０４における上記所定条件を満たす全てのエントリ（通信品質測定装置１０２）に対応する屋内アンテナ装置１０１のアンテナ出力を調整する（調整の結果、屋内アンテナ装置１０１が変更されない場合がある）。
【００６５】
図５に示すように、アラーム閾値は調整閾値よりも小さい。測定品質を表すＥｃ／Ｉｏ測定値がアラーム閾値未満である場合、アンテナ出力調整により要求品質が満たされる可能性が小さい。そのため、制御装置１０３は、アンテナ出力を調整することなく、品質低下を管理者に通知する。
【００６６】
Ｅｃ／Ｉｏ測定値がアラーム閾値と調整閾値の間にある場合、現在の通信品質は要求を満たしていないが、アンテナ出力調整により必要な通信品質改善を行うことができる。そのため、制御装置１０３は、屋内アンテナ装置１０１のアンテナ出力を調整する。Ｅｃ／Ｉｏ測定値が調整閾値以上である場合、通信品質は要求範囲内にあり、アンテナ出力調整は不要である。このように、二つの閾値を使用することで、より適切なアンテナ出力制御を実現することができる。なお、管理者へのアラーム機能は省略されていてもよい。
【００６７】
図７の例において、全ての測定結果（エントリ）に対する判定結果は「アラーム」又は「問題なし」であるので、制御装置１０３（処理装置３０４）はステップＳ１０６に進むことなく、屋内アンテナ装置２１１〜２１４の電波出力を調整しない。制御装置１０３は、測定結果及び測定結果についての判定結果（判定結果テーブル７００）を、記憶装置３０５に格納すると共に、遠隔監視装置１０４に送信する。
【００６８】
遠隔監視装置１０４は、受信した測定結果及び測定結果を、記憶装置３１０に格納する。遠隔監視装置１０４の処理装置３０９は、受信した判定結果において「アラーム」を示す判定結果が存在する場合、表示装置３０８により、管理者にそのアラーム内容を通知する。
【００６９】
例えば、処理装置３０９は、判定結果テーブル７００において、判定結果カラム７０８の値が「アラーム」であるエントリ（通信品質測定装置２０１のエントリ）の情報及び対応する屋内アンテナ装置２１１、２１２（図９Ａを参照）の情報を、表示装置３０８において表示する。これにより、管理者は、通信品質の低下が大きい屋内アンテナ装置１０１やフロアについての情報を知ることができる。
【００７０】
次に、他の測定結果の例及びその測定結果例に基づくアンテナ出力制御を説明する。以下に説明する例は、屋内アンテナ装置１０１のアンテナ出力を変更する、つまり、図６のフローチャートにおけるステップＳ１０６を実行する。
【００７１】
図８の測定結果テーブル８００は、定期測定の他の結果例を示す。測定結果テーブル８００は、測定結果テーブル４００と同一項目のカラム８０１〜８０７を有する。図８の測定結果テーブル８００において、通信品質測定装置２０１の測定結果におけるＥｃ／Ｉｏの測定値（カラム８０６）が、アラーム閾値と調整閾値の間にある。
【００７２】
図９Ａ及び図９Ｂは、制御装置１０３が屋内アンテナ装置１０１のアンテナ出力を調整するときに参照する情報の例を示している。図９Ａは、通信品質測定装置１０２と屋内アンテナ装置１０１とを対応付ける、通信品質測定装置−屋内アンテナ装置対応テーブル９００の一例を示す。図９Ｂは、屋内アンテナ装置１０１のアンテナ出力値を管理する、屋内アンテナ装置出力値管理テーブル９５０の一例を示している。
【００７３】
なお、遠隔監視装置１０４もこれらの情報を有する。図９Ａ、図９Ｂの例は、図２に示すフロアの例に対応している。テーブル９００、９５０は、例えば、フロア毎又全フロアに対して一つずつ用意されている。
【００７４】
通信品質測定装置−屋内アンテナ装置対応テーブル９００は、通信品質測定装置１０２と、その測定結果に基づいてアンテナ出力が調整される屋内アンテナ装置１０１と、を対応付ける。通信品質測定装置−屋内アンテナ装置対応テーブル９００は、通信品質測定装置カラム９０１、屋内アンテナ装置カラム９０２、そして備考カラム９０３を有する。通信品質測定装置カラム９０１、屋内アンテナ装置カラム９０２は、それぞれ、通信品質測定装置１０２、屋内アンテナ装置１０１の識別子を格納する。備考カラム９０３は、管理者に任意入力された情報を格納する。
【００７５】
図９Ａの例は、通信品質測定装置２０１〜２０４と、それらに関連付けられている屋内アンテナ装置２１１〜２１４を示す。この例では、通信品質測定装置２０１〜２０４のそれぞれに、二つの屋内アンテナ装置が対応付けられている。例えば、制御装置１０３は、通信品質測定装置２０１の測定結果に基づいて、屋内アンテナ装置２１１、２１２のアンテナ出力を制御し、通信品質測定装置２０２の測定結果に基づいて、屋内アンテナ装置２１２、２１３のアンテナ出力を制御する。
【００７６】
図９Ｂに示す屋内アンテナ装置出力値管理テーブル９５０は、屋内アンテナ装置カラム９５１、現状値カラム９５２、上限値カラム９５３、下限値カラム９５４を有する。屋内アンテナ装置カラム９５１は、屋内アンテナ装置１０１（本例において屋内アンテナ装置２１１〜２１４）の識別子を格納する。現状値カラム９５２、上限値カラム９５３、下限値カラム９５４は、それぞれ、屋内アンテナ装置１０１のアンテナ出力の現状値、上限値、下限値を格納する。
【００７７】
管理者は、遠隔監視装置１０４の入力装置３１５を使用して、通信品質測定装置−屋内アンテナ装置対応テーブル９００及び屋内アンテナ装置出力値管理テーブル９５０の初期情報を入力する。入力された情報は、記憶装置３１０に格納され、さらに、制御装置１０３に送信される。制御装置１０３は、通信品質測定装置−屋内アンテナ装置対応テーブル９００及び屋内アンテナ装置出力値管理テーブル９５０を作成し、記憶装置３０５に格納する。
【００７８】
管理者は、制御装置１０３における通信品質測定装置−屋内アンテナ装置対応テーブル９００及び屋内アンテナ装置出力値管理テーブル９５０の内容を、遠隔監視装置１０４を介して、変更することができる。制御装置１０３は、いずれかの屋内アンテナ装置１０１のアンテナ出力を変更すると、屋内アンテナ装置出力値管理テーブル９５０の該当するエントリにおいて、現状値カラム９５２の値を更新する。
【００７９】
図１０は、図６に示すフローチャートにおけるステップＳ１０６の詳細を示すフローチャート例である。ステップＳ１０６は、１又は複数の通信品質測定装置１０２の測定結果についての判定結果がアンテナ出力変更を示す場合に、ステップＳ１０６を実行する。図８の例においては、ステップＳ１０６は、通信品質測定装置２０１についてのみ実行される。
【００８０】
図１１は、図５、図８及び図１０に対応する判定結果テーブル１１００の一例を示し、図１２は、アンテナ出力調整前後の比較テーブル１２００の一例を示す。判定結果テーブル１１００、１２００は、図１０の処理が終了した後の内容を示している。これらテーブル１１００、１２００については、図１０のフローチャートに説明内において説明する。
【００８１】
図１０に戻って、処理装置３０４は、通信品質測定装置−屋内アンテナ装置対応テーブル９００から、上記判定結果（ステップＳ１０２、Ｓ１０４の判定結果）がアンテナ出力調整を示す通信品質測定装置１０２（未判定通信品質測定装置）の全てに対応する屋内アンテナ装置１０１を選択する（Ｓ２０２）。
【００８２】
図８及び図９Ａの例において、処理装置３０４は、通信品質測定装置２０１に対応する屋内アンテナ装置２１１、２１２を選択する。複数の通信品質測定装置２０１の測定結果が、アンテナ出力の調整を示す場合、それら全ての通信品質測定装置２０１に対応する屋内アンテナ装置１０１を選択する。
【００８３】
処理装置３０４は、選択した各屋内アンテナ装置１０１のアンテナ出力の上限値と現状値を比較する（Ｓ２０３）。処理装置３０４は、屋内アンテナ装置出力値管理テーブル９５０から、選択した屋内アンテナ装置１０１のアンテナ出力上限値及び現状値を取得することができる。例えば、屋内アンテナ装置２１１、２１２のそれぞれの上限値は４０であり、現状値は３６である。
【００８４】
処理装置３０４は、ステップＳ２０３を、選択した通信品質測定装置１０２毎に実行する。一つの通信品質測定装置１０２に対応する全ての屋内アンテナ装置１０１の現状値が上限値に達している場合（Ｓ２０３：ＮＯ）、処理装置３０４は、判定結果テーブル１１００の該当エントリの判定結果カラム１１０８に「調整不可」を入力し、変更値カラム１１０９にアンテナ出力の総増加値を入力する（Ｓ２０４）。なお、処理装置３０４は、一つの通信品質測定装置１０２に対応するいずれか一つの屋内アンテナ装置１０１の現状値が上限値に達している場合にステップＳ２０４に移動してもよい。
【００８５】
判定結果テーブル１１００の構成は判定結果テーブル７００と同じであり、通信品質測定装置カラム１１０１、測定開始日時カラム１１０２、測定終了日時カラム１１０３、ＰＳＣカラム１１０４、ＲＳＣＰカラム１１０５、Ｅｃ／Ｎｏカラム１１０６、Ｉｏカラム１１０７、判定結果カラム１１０８、変更値カラム１１０９を有する。
【００８６】
一つの通信品質測定装置１０２に対応する屋内アンテナ装置１０１のいずれかの現状値が上限値に達してない場合（Ｓ２０３：ＹＥＳ）、処理装置３０４は、当該条件に該当する屋内アンテナ装置１０１のアンテナ出力を、調整幅（測定・制御設定テーブル５００のカラム５０８に規定）だけ増加させる（Ｓ２０５）。調整幅の値は、通信品質測定装置１０２又は屋内アンテナ装置１０１間で異なっていてもよい。
【００８７】
図９Ｂの例において、屋内アンテナ装置２１１、２１２の現状値は上限値に達していないため、処理装置３０４は、屋内アンテナ装置２１１、２１２のアンテナ出力を、２ｄＢｍだけ大きくする。具体的には、処理装置３０４は、屋内アンテナ装置２１１、２１２の出力制御装置３０７に、アンテナ出力の増加を、その増加分を指定して指示する。出力制御装置３０７は、指示された増加分（２ｄＢｍ）だけ、アンテナ３０６の出力を増加させる。
【００８８】
処理装置３０４は、屋内アンテナ装置出力値管理テーブル９５０のアンテナ出力を変更した屋内アンテナ装置１０１のエントリにおいて、現状値カラム９５２の値を、（現状値＋調整幅）の値に更新する（Ｓ２０６）。
【００８９】
処理装置３０４は、アンテナ出力変更後に、通信品質測定装置１０２による通信品質の再測定を行う（Ｓ２０７）。本例は、フロア毎に再測定を行い、図２及び図８の例において、通信品質測定装置２０１〜２０４が通信品質を再測定する。処理装置３０４は、通信品質測定装置２０１〜２０４に、通信品質の再測定を指示する。指示を受けた通信品質測定装置２０１〜２０４は、定期測定と同様の条件において通信品質の測定を行い、その結果を制御装置１０３に送信する。
【００９０】
再測定結果を受信した処理装置３０４は、それらを記憶装置３０５に格納し、さらに、出力調整前後の比較テーブル１２００を作成する（Ｓ２０８）。比較テーブル１２００は、屋内アンテナ装置１０１のアンテナ出力調整を実施した前後の測定データの比較を示す。例えば、比較テーブル１２００は、フロア毎に作成される。
【００９１】
図１２に例示するように、比較テーブル１２００は、通信品質測定装置カラム１２０４、変更前測定結果カラム１２０１、変更後測定結果カラム１２０２、そして差分カラム１２０３を有する。図１２の例は、通信品質測定装置２０１〜２０４についての情報を示す。
【００９２】
変更前測定結果カラム１２０１は、さらに、ＰＳＣカラム１２０５、ＲＳＣＰカラム１２０６、Ｅｃ／Ｎｏカラム１２０７、Ｉｏカラム１２０８を有する。変更後測定結果カラム１２０２も、同様に、ＰＳＣカラム１２０９、ＲＳＣＰカラム１２１０、Ｅｃ／Ｎｏカラム１２１１、Ｉｏカラム１２１２を有する。
【００９３】
変更前測定結果カラム１２０１は、アンテナ出力変更前の、各通信品質測定装置１０２の測定結果を格納している。変更後測定結果カラム１２０２は、アンテナ出力変更後の、各通信品質測定装置１０２の測定結果を格納している。差分カラム１２０３は、アンテナ出力変更前後のＥｃ／Ｎｏの差分を示す。つまり、それは、変更後のＥｃ／Ｎｏの値（カラム１２１１の値）から、変更前のＥｃ／Ｎｏの値（カラム１２０７の値）を引いて得られる値である。
【００９４】
処理装置３０４は、作成した比較テーブル１２００の差分カラム１２０３を参照し、各エントリの差分値が正であるか負であるか判定する（Ｓ２０９）。図１２の例において、通信品質測定装置２０１のエントリにおけるアンテナ出力変更前後のＥｃ／Ｎｏの差分は１．６であり、その他のエントリは０である。つまり、全てのエントリの差分値は、正である。
【００９５】
いずれかのエントリの差分値が負である場合（Ｓ２０９：ＹＥＳ）、処理装置３０４は、変更した（増加させた）全ての屋内アンテナ装置１０１（本例で屋内アンテナ装置２１１、２１２）のアンテナ出力を変更直前の値に戻す（減少させる）（Ｓ２１０）。差分値が負であることは、アンテナ出力の変更（本例で増加）で通信品質が低下したことを意味するからである。
【００９６】
例えば、処理装置３０４は、屋内アンテナ装置１０１（図８の例において屋内アンテナ装置２１１、２１２）に、アンテナ出力の変更量を指定して、アンテナ出力の変更を指示する。各屋内アンテナ装置の出力制御装置３０７は、アンテナ３０６の電波送信出力を、指定された量（−２ｄＢｍ）だけ変更する（減少させる）。
【００９７】
その後、処理装置３０４は、判定結果テーブル１１００において判定結果（カラムＳ１１０８）が未入力の全エントリ（本例において通信品質測定装置２０１のエントリのみ）において、「改善不可」を入力する。
【００９８】
全てのエントリの差分値が負ではない（正又は０）である場合（Ｓ２０９：ＮＯ）、処理装置３０４は、判定結果（カラム１１０８）未入力の通信品質測定装置１０２のそれぞれについて、アンテナ出力変更後のＥｃ／Ｎｏ（カラム１２１１）と調整閾値（測定・制御設定テーブル５００のカラム５０７の値）とを比較する（Ｓ２１２）。
【００９９】
いずれかの未判定通信品質測定装置のＥｃ／Ｎｏが調整閾値より小さい場合（Ｓ２１２：ＹＥＳ）、処理装置３０４は、ステップＳ２０２に戻る。ステップＳ２０２では、処理装置３０４は、変更後のＥｃ／Ｎｏ（カラム１２１１の値）が調整閾値より小さいエントリの通信品質測定装置１０２に対応する屋内アンテナ装置１０１を選択する。
【０１００】
処理装置３０４は、ステップＳ２０２に戻る前に、変更後のＥｃ／Ｎｏが調整閾値以上（Ｓ２１２：ＮＯ）であるエントリに対応する、判定結果テーブル１１００のエントリ（本例において通信品質測定装置２０１のエントリ）において、判定結果カラム１１０８のフィールドに「改善完了」を入力し、変更値カラム１１０９にアンテナ出力の総増加値を入力する（Ｓ２１３）。
【０１０１】
図１１の判定結果テーブル１１００の例において、通信品質測定装置２０１のエントリの判定結果カラム１１０８は「改善完了」を格納し、変更値カラム１１０９は、アンテナ出力の総増加値「２」を格納している。
【０１０２】
処理装置３０４は、ステップＳ１０６を終了し、判定結果テーブル１１００の全てエントリの判定結果カラム１１０８に判定結果を入力した後、アンテナ出力調整による改善結果（「改善完了」又は「改善不可」）の情報を含む判定結果の情報、例えば、判定結果テーブル１１００の全ての情報を、遠隔監視装置１０４に送信する。
【０１０３】
遠隔監視装置１０４は、受信した情報を記憶装置３１０にし、処理装置３０９は、表示装置３０８に、判定結果テーブル１１００の内容を表示して、管理者に通知する。これにより、管理者は、屋内アンテナ装置１０１の現在の通信品質を知ることができると共に、必要な通信品質の改善を知ることができる。
【０１０４】
屋内対策用アンテナ装置１０１のアンテナ出力調整では、通信品質の改善が出来ない品質低下を検出した際に、測定結果や調整結果を遠隔監視装置１０４の転送し、遠隔監視装置１０４の表示装置３０８でアラームを発生させることで、管理者に品質低下を知らせることができる。
【０１０５】
屋内アンテナ装置１０１のアンテナ出力の変更と通信品質測定装置１０２での測定とを合わせて繰り返すことで、アンテナ出力変更による通信品質改善の効果を確認しながらのアンテナ出力を調整でき、確実な品質改善効果が得られる。
【０１０６】
図１０を参照して説明した上記例は、図６のステップＳ１０２、Ｓ１０４の判定結果がアンテナ出力変更を示す（Ｅｃ／Ｎｏが二つの閾値の間にある）全ての通信品質測定装置１０２に対してステップＳ１０６を実行するが、処理装置３０４は、図６及び図１０のフロー、つまり、測定結果についての判定とアンテナ出力調整を、通信品質測定装置１０２毎に実行しもよい。処理装置３０４は、各フローにおいて、選択されている一つの通信品質測定装置１０２に対応する屋内アンテナ装置１０１のアンテナ出力のみ調整する。
【０１０７】
以上のように、本実施例は、無線信号を受信するアンテナ３０１を有する通信品質測定装置１０２により無線通信品質を測定することによって、屋内アンテナ装置１０１のアンテナ出力を適切に制御することができる。
【０１０８】
上記例において、制御装置１０３は、調整閾値を使用した現在通信品質の絶対評価によりアンテナ出力を増加させる。制御装置１０３は、これと異なり、アンテナ出力を増加及び減少させてもよい。例えば、制御装置１０３は、二つの調整閾値を有し、現在Ｅｃ／Ｉｏが大きい調整閾値よりも大きい場合、対応する屋内アンテナ装置１０１の出力を減少させ、現在Ｅｃ／Ｉｏが小さい調整閾値よりも小さい場合、対応する屋内アンテナ装置１０１の出力を増加させる。
【０１０９】
本実施例によれば、通信品質に影響を及ぼす電波環境の変化を遠隔地から継続的に把握することができるため、通信品質の調査にかかる費用と時間を削減でき、屋内の通信品質低下を早い段階で把握することができる。
【０１１０】
更に、屋内に品質改善用のアンテナ装置が設置されている建築物において、屋外の電波環境変化による屋内の通信品質低下や、屋内アンテナ装置のレイアウト変更による品質低下を感知すると、自動的に屋内アンテナ装置の信号送信電力（アンテナ出力）の調整と結果の確認を行うことができるため、通信品質が低い期間を短縮できる。
【実施例２】
【０１１１】
以下において、本発明における実施例２を説明する。以下においては、実施例１との相違点を中心に説明する。本実施例は、基準通信品質測定結果に対して通信品質を相対評価し、その相対評価に基づいて屋内アンテナ装置のアンテナ出力を制御する。本例は、屋内アンテナ装置が設置された際の通信品質測定結果を基準測定結果として使用するが、他のタイミングの測定結果を基準測定結果として使用してもよい。
【０１１２】
図１３は、本例の屋内アンテナ装置制御システムにおける通信測定及びアンテナ出力制御の例を示すフローチャートである。各通信品質測定装置１０２は、指定されている無線信号（電波信号）の品質を測定する（Ｓ３０１）。各通信品質測定装置１０２は、測定・制御設定テーブル５００が規定する測定方法に従って、通信品質を定期的に測定する。
【０１１３】
ステップＳ３０１は一回の定期測定を示す。この測定の前に、各通信品質測定装置１０２は、基準となる測定（屋内アンテナ装置設置時の測定）を実行しており、制御装置１０３は、基準測定の測定結果を記憶装置３０５に格納している。基準測定結果は、例えば、測定結果テーブル４００と同構成のテーブルに格納されている。
【０１１４】
各通信品質測定装置１０２は、定期測定が終了すると、その測定結果を制御装置１０３に送信する。制御装置１０３の処理装置３０４は、各通信品質測定装置１０２から取得した定期測定結果を測定結果テーブル４００に格納する。
【０１１５】
処理装置３０４は、各通信品質測定装置１０２から受信した定期測定結果と、予め記憶されている基準測定結果とを比較する（Ｓ３０２）。一例において、処理装置３０４は、図１４に例示する基準測定結果と定期測定結果の比較テーブル１４００を作成する。処理装置３０４は、比較テーブル１４００を参照して得られる比較結果に基づいて、各通信品質測定装置１０２に対応する屋内アンテナ装置１０１のアンテナ出力変更の有無を判定する。
【０１１６】
比較テーブル１４００は、通信品質測定装置カラム１４０４、基準測定結果カラム１４０１、定期測定結果カラム１４０２、そして差分カラム１４０３を有する。図１４の例は、図２のフロアの例に対応する。基準測定結果カラム１４０１は、さらに、ＰＳＣカラム１４０５、ＲＳＣＰカラム１４０６、Ｅｃ／Ｎｏカラム１４０７、Ｉｏカラム１４０８を有する。定期測定結果カラム１４０２も、同様に、ＰＳＣカラム１４０９、ＲＳＣＰカラム１４１０、Ｅｃ／Ｎｏカラム１４１１、Ｉｏカラム１４１２を有する。
【０１１７】
基準測定結果カラム１４０１は、基準測定結果、本例において屋内アンテナ装置設置時の各通信品質測定装置１０２による通信品質測定結果を格納している。定期測定結果カラム１４０２は、各通信品質測定装置１０２の定期通信品質測定の結果を格納している。差分カラム１４０３は、基準測定結果と定期測定結果のＥｃ／Ｎｏの差分を示す。つまり、それは、定期測定結果のＥｃ／Ｎｏの値（カラム１４１１の値）から、基準測定結果のＥｃ／Ｎｏの値（カラム１４０７の値）を引いて得られる値である。
【０１１８】
処理装置３０４は、比較テーブル１４００における各エントリ（各通信品質測定装置１０２の測定結果）について、ステップＳ３０３からステップＳ３０６を実行する。ステップＳ３０３において、処理装置３０４は、選択したエントリにおけるＥｃ／Ｎｏの差分の絶対値と、規定の調整幅（測定・制御設定テーブル５００参照）とを比較する。
【０１１９】
Ｅｃ／Ｎｏの差分の絶対値が調整幅よりも小さい場合（−１×調整幅＜差分＜調整幅）（Ｓ３０４：ＹＥＳ）、処理装置３０４は、判定結果テーブルの対応エントリにおいて、判定結果カラムに「調整なし」を入力する。本例における判定結果テーブルは不図示であるが、その構成は、判定結果テーブル７００、１１００と同様である。
【０１２０】
Ｅｃ／Ｎｏの差分の絶対値が調整幅以上である場合（Ｓ３０４：ＮＯ）、処理装置３０４は、通信品質測定装置−屋内アンテナ装置対応テーブル９００から、当該通信品質測定装置２０１に対応する屋内アンテナ装置１０１を選択する（Ｓ３０５）。処理装置３０４は、各通信品質測定装置１０２について、Ｅｃ／Ｎｏの差分（カラム１４０３の値）が負であるか否か判定する（Ｓ３０６）。
【０１２１】
Ｅｃ／Ｎｏの差分が負の値である場合（Ｓ３０６：ＹＥＳ）、処理装置３０４は、対応する屋内アンテナ装置１０１のアンテナ出力を減少させ（Ｓ３０７）。Ｅｃ／Ｎｏの差分が０以上の値である場合（Ｓ３０６：ＮＯ）、処理装置３０４は、対応する屋内アンテナ装置１０１のアンテナ出力を増加させる（Ｓ３０８）。
【０１２２】
以下の説明において、処理装置３０４は、ステップＳ３０７及びステップＳ３０８のそれぞれを、各ステップの条件に該当する全ての通信品質測定装置１０２（屋内アンテナ装置１０１）について実行する。実施例１において言及したように、処理装置３０４は、通信品質測定装置１０２毎に、ステップＳ３０７及びステップＳ３０８を実行してもよい。
【０１２３】
次に、ステップＳ３０８（アンテナ出力増加）の詳細を、図１５のフローチャートを参照して説明する。制御装置１０３の処理装置３０４は、ステップＳ３０６の判定結果が肯定的であるエントリ（通信品質測定装置１０２）毎に、ステップＳ４０１〜Ｓ４０４を実行する。
【０１２４】
処理装置３０４は、選択した通信品質測定装置１０２に対応する屋内アンテナ装置１０１のそれぞれのアンテナ出力の上限値と現状値を比較する（Ｓ４０１）。処理装置３０４は、屋内アンテナ装置出力値管理テーブル９５０から、上記対応する屋内アンテナ装置１０１のアンテナ出力上限値及び現状値を取得することができる。
【０１２５】
一つの通信品質測定装置１０２に対応する全ての屋内アンテナ装置１０１の現状値が上限値に達している場合（Ｓ４０１：ＮＯ）、処理装置３０４は、判定結果テーブルにおける該当エントリの判定結果カラムに「調整不可」を入力し、変更値カラムにアンテナ出力の総増加値を入力する（Ｓ４０２）。なお、処理装置３０４は、いずれか一つの屋内アンテナ装置１０１の現状値が上限値に達している場合にステップＳ４０２に移動してもよい。
【０１２６】
屋内アンテナ装置１０１のいずれかの現状値が上限値に達してない場合（Ｓ４０１：ＹＥＳ）、処理装置３０４は、当該条件に該当する屋内アンテナ装置１０１のアンテナ出力を、調整幅（測定・制御設定テーブル５００のカラム５０８に規定）だけ増加させる（Ｓ４０３）。具体的には、処理装置３０４は、屋内アンテナ装置１０１の出力制御装置３０７に、アンテナ出力の増加を、その増加分を指定して指示する。出力制御装置３０７は、指示された増加分だけ、アンテナ３０６の出力を増加させる。
【０１２７】
処理装置３０４は、屋内アンテナ装置出力値管理テーブル９５０におけるアンテナ出力を変更した屋内アンテナ装置１０１のエントリにおいて、現状値カラム９５２の値を、（現状値＋調整幅）の値に更新する（Ｓ４０４）。
【０１２８】
処理装置３０４は、通信品質測定装置１０２（本例で通信品質測定装置２０１〜２０４）によって通信品質を再測定する（Ｓ４０５）。ステップＳ４０５〜Ｓ４０９は、図１０におけるステップＳ２０７〜Ｓ２１１と同様である。
【０１２９】
出力調整前後の全てのエントリのＥｃ／Ｎｏの差分が正の値である、つまり、出力調整後の測定品質が出力調整前の通信品質より改善している場合（Ｓ４０７：ＮＯ）、処理装置３０４は、基準測定結果と出力変更後の測定結果を比較する（Ｓ４１０）。
【０１３０】
例えば、処理装置３０４は、図１６に例示する基準測定結果と出力変更後測定結果の比較テーブル１６００を作成する。図１６において、比較テーブル１６００は、図１４に示す基準測定結果と定期測定結果の比較テーブル１４００と類似する構成を有している。基準測定結果と出力変更後測定結果の比較テーブル１６００は、定期測定結果に代えてアンテナ出力変更後の測定結果を格納している。比較テーブル１６００は例えば、フロア毎に作成される。
【０１３１】
比較テーブル１６００は、通信品質測定装置カラム１６０４、基準測定結果カラム１６０１、出力変更後測定結果カラム１６０２、そして差分カラム１６０３を有する。図１６の例は、通信品質測定装置２０１〜２０４についての情報を示す。
【０１３２】
基準測定結果カラム１６０１は、さらに、ＰＳＣカラム１６０５、ＲＳＣＰカラム１６０６、Ｅｃ／Ｎｏカラム１６０７、Ｉｏカラム１６０８を有する。出力変更後測定結果カラム１６０２も、同様に、ＰＳＣカラム１６０９、ＲＳＣＰカラム１６１０、Ｅｃ／Ｎｏカラム１６１１、Ｉｏカラム１６１２を有する。
【０１３３】
差分カラム１６０３は、基準測定結果と出力変更後測定結果のＥｃ／Ｎｏの差分を示す。つまり、それは、出力変更後測定結果のＥｃ／Ｎｏの値（カラム１６１１の値）から、基準測定結果のＥｃ／Ｎｏの値（カラム１６０７の値）を引いて得られる値である。
【０１３４】
処理装置３０４は、アンテナ出力を増加した屋内アンテナ装置１０１が対応する各通信品質測定装置１０２のＥｃ／Ｎｏの差分絶対値（差分カラム１６０３の絶対値）と、規定の調整幅とを比較する（Ｓ４１１）。Ｅｃ／Ｎｏの差分絶対値が規定の調整幅未満である場合（Ｓ４１１：ＹＥＳ）、処理装置３０４は、判定結果テーブルのその通信品質測定装置１０２のエントリの判定結果カラムに「対策完了」を入力し、さらに、変更値カラムに総出力増加値を入力する（Ｓ４１２）。
【０１３５】
対応する屋内アンテナ装置１０１のアンテナ出力を増加した通信品質測定装置１０２（判定結果テーブルのエントリ）であって、Ｅｃ／Ｎｏの差分絶対値が規定の調整幅以上であるエントリが残っている場合（Ｓ４１１：ＮＯ）、処理装置３０４はステップＳ４０１に戻る。
【０１３６】
次に、ステップＳ３０７（アンテナ出力減少）の詳細を、図１７のフローチャートを参照して説明する。以下では、ステップＳ３０８との相違点を中心に説明する。選択した通信品質測定装置１０２に対応する屋内アンテナ装置１０１のそれぞれのアンテナ出力の上限値と現状値を比較する（Ｓ５０１）。
【０１３７】
一つの通信品質測定装置１０２に対応する全ての屋内アンテナ装置１０１の現状値が下限値に達している場合（Ｓ５０１：ＮＯ）、処理装置３０４は、判定結果テーブルにおける該当エントリの判定結果カラムに「調整不可」を入力し、変更値カラムにアンテナ出力の総減少値を入力する（Ｓ５０２）。
【０１３８】
屋内アンテナ装置１０１のいずれかの現状値が下限値に達してない場合（Ｓ５０１：ＹＥＳ）、処理装置３０４は、当該条件に該当する屋内アンテナ装置１０１のアンテナ出力を、規定の調整幅だけ減少させる（Ｓ５０３）。
【０１３９】
処理装置３０４は、屋内アンテナ装置出力値管理テーブル９５０におけるアンテナ出力を変更した屋内アンテナ装置１０１のエントリにおいて、現状値カラム９５２の値を、（現状値−調整幅）の値に更新する（Ｓ５０４）。
【０１４０】
処理装置３０４は、通信品質測定装置１０２（本例で通信品質測定装置２０１〜２０４）によって通信品質を再測定する（Ｓ４０５）。ステップＳ５０５〜Ｓ５１２は、ステップＳ５０７の分岐がステップＳ４０７の分岐と逆である点を除き、図１５におけるステップＳ４０５〜Ｓ４１２と同様である。
【０１４１】
つまり、図１７のフローにおいて、出力調整前後の全てのエントリのＥｃ／Ｎｏの差分が負の値である場合（Ｓ５０７：ＹＥＳ）、処理装置３０４は、基準測定結果と出力変更後の測定結果を比較する（Ｓ５１０）。出力調整前後のいずれかのエントリのＥｃ／Ｎｏの差分が０以上である場合（Ｓ５０７：ＮＯ）、処理装置３０４はアンテナ出力を戻す（Ｓ５０８）。
【０１４２】
処理装置３０４は、図１３のフロー終了後、判定結果テーブルを遠隔監視装置１０４に送信する。処理装置３０４は、基準測定結果と定期測定結果の比較テーブル１４００、基準測定結果と出力変更後測定結果の比較テーブル１６００を遠隔監視装置１０４に送信してもよい。遠隔監視装置１０４は、受信した情報を管理者に提示することができる。
【０１４３】
上述のように、本実施例は、通信品質の基準測定結果に対する現在の通信品質の相対評価により屋内アンテナ装置１０１のアンテナ出力を制御するため、基準測定結果からの変化が規定範囲内になるように、屋内アンテナ装置１０１のアンテナ出力を制御することができる。屋内アンテナ装置１０１のアンテナ出力を現在の通信品質に応じて増減することで、該当屋内アンテナ装置１０１の通信品質を維持すると共に、他の無線信号への影響の増加を抑えることができる。
【０１４４】
上記例において、制御装置１０３は、屋内アンテナ装置１０１のアンテナ出力を増減する。これに変えて、制御装置１０３は、実施例１のように、屋内アンテナ装置１０１のアンテナ出力の増加のみを行ってもよい。
【実施例３】
【０１４５】
本実施例において、屋内アンテナ装置１０１があるフロア全てには、通信品質測定装置１０２が設置されない。本実施例は、通信品質測定装置１０２が未設置のフロアにおける屋内アンテナ装置１０１のアンテナ出力制御を説明する。図１８は、本実施例における屋内アンテナ装置１０１及び通信品質測定装置１０２の設置例を示している。屋内アンテナ装置１０１は１階から７階の全てのフロアに設定されているが、通信品質測定装置１０２は一部のフロア、１、４、７階のみに設置されている。
【０１４６】
図１９は、通信品質測定装置１０２が設置してある一つのフロア（測定フロア）でのアンテナ出力調整結果と調整後の測定結果を示す判定結果テーブル１９００の一例である。例えば、各測定フロアの判定結果テーブルが作成される。一つの判定結果テーブルに全ての測定フロアの判定結果が格納されてもよい。
【０１４７】
判定結果テーブル１９００は、通信品質測定装置カラム１９０１、測定開始日時カラム１９０２、測定終了日時カラム１９０３、ＰＳＣカラム１９０４、ＲＳＣＰカラム１９０５、Ｅｃ／Ｎｏカラム１９０６、Ｉｏカラム１９０７、判定結果カラム１９０８、変更値カラム１９０９を有する。判定結果テーブル１９００の構成は１１００と同様であり詳細な説明を省略する。
【０１４８】
図２０は、基準測定結果と定期測定結果の比較テーブル２０００の一例を示す。例えば、各測定フロアの比較テーブル２０００が作成される。一つの比較テーブル２０００が全ての測定フロアの情報を含んでもよい。
【０１４９】
比較テーブル２０００は、通信品質測定装置カラム２００４、基準測定結果カラム２００１、定期測定結果カラム２００２、そして差分カラム２００３を有する。基準測定結果カラム２００１は、さらに、ＰＳＣカラム２００５、ＲＳＣＰカラム２００６、Ｅｃ／Ｎｏカラム２００７、Ｉｏカラム２００８を有する。定期測定結果カラム２００２も、同様に、ＰＳＣカラム２００９、ＲＳＣＰカラム２０１０、Ｅｃ／Ｎｏカラム２０１１、Ｉｏカラム２０１２を有する。
【０１５０】
比較テーブル２０００の構成は、図１４の比較テーブル１４００と略同様である。異なる点は、比較テーブル２０００の差分カラム２００３が、ＲＳＣＰの差分値を格納していることである。差分カラム２００３は、基準測定結果カラム２００１のＲＳＣＰに対する定期測定結果のＲＳＣＰの差分値（カラム２００６の値からカラム２００６の値を引いて得られる）を格納している。
【０１５１】
図１９の判定結果テーブル１９００は、制御装置１０３が、図２０に示す比較テーブル２０００から、該当フロアの屋内アンテナ装置１０１の必要なアンテナ出力の調整を行った後の結果を示す。
【０１５２】
図２１は、非測定フロアの屋内アンテナ装置１０１の出力変更テーブル２１００の一例を示す。例えば、テーブル２１００は、非測定フロアの全ての屋内アンテナ装置１０１のエントリを含み、図２１は、それらのエントリの一部を例示している。テーブル２１００は、出力変更された測定フロアの屋内アンテナ装置に対応付けられている非測定フロアの屋内アンテナ装置１０１のエントリで構成されていてもよい。
【０１５３】
テーブル２１００は、非測定フロアカラム２１０１、屋内アンテナ装置カラム２１０２と、測定フロアカラム２１０３、屋内アンテナ装置カラム２１０４、変更値カラム２１０５、ＲＳＣＰ差分カラム２１０６、対干渉変更値カラム２１０７、対干渉変更最大値カラム２１０８、変更値カラム２１０９を有する。
【０１５４】
非測定フロアカラム２１０１は、通信品質測定装置１０２が設置されておらず、同フロアでの通信品質測定装置１０２による通信品質測定が行われないフロアの識別子を格納する。屋内アンテナ装置カラム２１０２は、非測定フロアにおける屋内アンテナ装置の識別子を格納する。測定フロアカラム２１０３は、非測定フロアに関連付けられている上階及び下階の測定フロアの識別子を格納する。測定フロアは、通信品質測定装置１０２が設置されているフロアである。
【０１５５】
変更値カラム２１０５は、測定フロアの屋内アンテナ装置１０１におけるアンテナ出力変更値を格納する。このカラム２１０５値は、判定結果テーブル１９００の変更値カラム１９０９の値が対応する。ＲＳＣＰ差分カラム２１０６は、上下階測定フロアの屋内アンテナ装置１０１（カラム２１０４）が対応する通信品質測定装置１０２において測定された基準測定結果と定期測定結果のＲＳＣＰの差分を格納する。このカラム２１０６の値は、比較テーブル２０００における差分カラム２００３の値が対応する。
【０１５６】
対干渉変更値カラム２１０７は、上下階の変更値カラム２１０５の値からＲＳＣＰ差分カラム２１０６の値を引いて得られる値を格納している。対干渉変更値カラム２１０７の値は、測定フロアの屋内アンテナ装置１０１におけるアンテナ出力変更値において、外部からの干渉に応じた変更値の推定値である。
【０１５７】
対干渉変更最大値カラム２１０８は、対干渉変更値カラム２１０７における上階と下階の値のうちの大きい値を格納する。変更値カラム２１０９は、対干渉変更最大値カラム２１０８の値を規定の調整幅（測定・制御設定テーブル５００のカラム５０８の値）に合わせて切り上げて得られる値を格納する。
【０１５８】
管理者は、遠隔監視装置１０４を使用して、非測定フロア屋内アンテナ装置のアンテナ出力変更テーブル２１００における、カラム２１０１〜カラム２１０４の情報を入力する。例えば、管理者は、非測定フロアに対応する上階及び下階の測定フロアとして、それぞれ、最も近い測定フロアを選択し、非測定フロアの屋内アンテナ装置に対応する測定フロアの屋内アンテナ装置として、非測定フロアの屋内アンテナ装置に最も近い測定フロアの屋内アンテナ装置を選択する。屋内アンテナ装置及びフロアの対応情報は、例えば、非測定フロア屋内アンテナ装置のアンテナ出力変更テーブル２１００とは別のテーブルで管理される。
【０１５９】
テーブル１９００〜テーブル２１００は、制御装置１０３の記憶装置３０５に格納されると共に、遠隔監視装置１０４にそれらの情報が送信され、その記憶装置３１０に送信された情報が格納される。
【０１６０】
図２２は、非測定フロアの屋内アンテナ装置１０１のアンテナ出力を制御する処理のフローチャート例である。制御装置１０３の処理装置３０４は、全ての測定フロアの判定結果テーブル１９００を参照し、判定結果カラム１９０８の値が「改善完了」であるエントリが存在するか判定する（Ｓ６０１）。
【０１６１】
「改善完了」を含むエントリが存在しない場合（Ｓ６０１：ＮＯ）、処理装置３０４は、このフローを終了する。「改善完了」を含むエントリが存在する場合（Ｓ６０１：ＹＥＳ）、処理装置３０４は非測定フロアの屋内アンテナ装置のアンテナ出力変更テーブル２１００を作成する。
【０１６２】
処理装置３０４は、アンテナ出力変更テーブル２１００の各エントリにおいて、測定フロア（カラム２１０３）と屋内アンテナ装置（カラム２１０４）に対応する判定結果テーブル１９００のエントリから、変更値（カラム１９０９）を取得して、変更値カラム２１０５に入力する（Ｓ６０２）。判定結果テーブル１９００の通信品質測定装置１０２と屋内アンテナ装置１０１とは、通信品質測定装置−屋内アンテナ装置対応テーブル９００において対応付けられている。
【０１６３】
処理装置３０４は、アンテナ出力変更テーブル２１００の各エントリにおいて、測定フロア（カラム２１０３）と屋内アンテナ装置（カラム２１０４）に対応する基準測定結果と定期測定結果の比較テーブル２０００のエントリから、ＲＳＣＰの差分値（カラム２００３）を取得して、ＲＳＣＰ差分カラム２１０６に入力する（Ｓ６０３）。
【０１６４】
処理装置３０４は、アンテナ出力変更テーブル２１００の各エントリにおいて、変更値（カラム２１０５）からＲＳＣＰ差分（カラム２１０６）を引いた値を対干渉変更値カラム２１０７に入力する（Ｓ６０４）。さらに、対干渉変更値カラム２１０７の上階の値と下階の値で大きい方を対干渉変更最大値カラム２１０８に入力する（Ｓ６０５）。
【０１６５】
処理装置３０４は、アンテナ出力変更テーブル２１００の各エントリにおいて、対干渉変更最大値（カラム２１０８）に対して調整幅で切り上げて、変更値（カラム２１０９）を算出し、変更値カラム２１０９に格納する（Ｓ６０６）。処理装置３０４は、算出した変更値（カラム２１０９）で、対応する屋内アンテナ装置１０１のアンテナ出力を調整する。以上のフローで、測定フロアにおける通信品質の測定結果を使用して、非測定フロアにおける干渉による通信品質の低下を改善することができる。
【０１６６】
上記例は、非測定フロアとの上階及び下階の測定フロアを対応づけるが、非測定フロアは上階又は下階の一方のみと対応付けられていてもよい。上記例は、対干渉変更値カラム２１０７の値を外部からの干渉に応じた変更値の推定値として使用し、非測定フロアの屋内アンテナ装置１０１のアンテナ出力を調整する。制御装置１０３は、測定フロアにおける測定結果及びアンテナ出力変更量から得られる異なる値を干渉に応じた変更値の推定値として使用してもよい。
【０１６７】
上記例は、基準測定結果に対する定期測定結果の相対評価におけるＲＳＣＰの差分を使用するが、実施例１に記載するように、測定フロアにおける規定値に対する測定結果の絶対評価におけるＲＳＣＰの差分を使用して、非測定フロアのアンテナ出力を調整してもよい。非測定フロアのアンテナ出力の調整は、アンテナ出力を増加するほか、減少させてもよい。
【０１６８】
以上、本発明の実施例を説明したが、本発明が上記実施例に限定されるものではない。ある実施例の要素を他の実施例の構成に置き換えることが可能であり、ある実施例の構成に他の実施例の要素を加えることも可能である。当業者であれば、本発明の範囲において、上記の実施例の要素を、容易に削除、変更、追加、変換することが可能である。
【０１６９】
上記の各構成要素、機能、処理部、処理手段等は、それらの一部又は全部を、例えば集積回路で設計する等によりハードウェアで実現してもよい。各機能を実現するプログラム、テーブル、ファイル等の情報は、不揮発性半導体メモリ、ハードディスクドライブ、ＳＳＤ（Ｓｏｌｉｄ  Ｓｔａｔｅ  Ｄｒｉｖｅ）等の記憶デバイス、または、ＩＣカード、ＳＤカード、ＤＶＤ等の計算機読み取り可能な非一時的データ記憶媒体に格納することができる。
【符号の説明】
【０１７０】
１０１  屋内アンテナ装置、１０２  通信品質測定装置、１０３  制御装置、１０４  遠隔監視装置、２０１-２０４  通信品質測定装置、２１１−２１４  屋内アンテナ装置、２２１  開口部、３０１  受信アンテナ、３０２  処理装置、３０３  記憶装置、３０４  処理装置、３０５  記憶装置、３０６  送受信アンテナ、３０７  出力制御装置、３０８  表示装置、３０９  処理装置、３１０  記憶装置、３１２  制御装置、３１５  入力装置、４００  測定結果テーブル、５００  測定・制御設定テーブル、７００  判定結果テーブル、８００  測定結果テーブル、９００  通信品質測定装置−屋内アンテナ装置対応テーブル、１１００  判定結果テーブル、１２００  出力調整前後の測定結果比較テーブル、１４００  基準測定結果と定期測定結果の比較テーブル、１６００  基準測定結果と出力変更後測定結果の比較テーブル、１９００  判定結果テーブル、２０００  基準測定結果と定期測定結果の比較テーブル、２１００  未測定フロアの屋内アンテナ装置のアンテナ出力変更テーブル
【図１】
2014107811.tif 000003
【図２】
2014107811.tif 000004
【図３】
2014107811.tif 000005
【図４】
2014107811.tif 000006
【図５】
2014107811.tif 000007
【図６】
2014107811.tif 000008
【図７】
2014107811.tif 000009
【図８】
2014107811.tif 000010
【図９Ａ】
2014107811.tif 000011
【図９Ｂ】
2014107811.tif 000012
【図１０】
2014107811.tif 000013
【図１１】
2014107811.tif 000014
【図１２】
2014107811.tif 000015
【図１３】
2014107811.tif 000016
【図１４】
2014107811.tif 000017
【図１５】
2014107811.tif 000018
【図１６】
2014107811.tif 000019
【図１７】
2014107811.tif 000020
【図１８】
2014107811.tif 000021
【図１９】
2014107811.tif 000022
【図２０】
2014107811.tif 000023
【図２１】
2014107811.tif 000024
【図２２】
2014107811.tif 000025